(57)【要約】  本発明は、改良された新規な平鍋用の平鍋ハンドルに関する。平鍋は平鍋本体と平鍋ハンドルを含む。平鍋ハンドルは、平鍋本体の側壁上に配置され、使用者が握るための握り部と、使用者が平鍋本体を平鍋ハンドルを軸として角度方向に移動または回すことができるように使用者の指を押し付けることができる、平鍋ハンドルの側壁上に配置された第１の突出部を含む。本発明により使用者が平鍋を使用すると、使用者は平鍋ハンドルの握り部によって平鍋を握り、てことして第１の突出部に指を押し付けることができる。その結果、本発明による平鍋ハンドルにより、使用者は平鍋をよりうまく制御でき、平鍋の取り扱い時により少ない労力を用いることができるようになる。
2014533170.tif 000002
【特許請求の範囲】
【請求項１】
平鍋本体と、
前記平鍋本体の側壁上に配置された平鍋ハンドルであって、握り部と、前記平鍋本体を前記平鍋ハンドルを軸として角度方向に移動させることができるように前記平鍋ハンドルの側壁上に配置された第１の突出部分とを含む、平鍋ハンドルと、を含み、
前記第１の突出部は、元の位置から１つ以上の延長位置まで延びることができる、
ことを特徴とする平鍋。
【請求項２】
前記第１の突出部は、前記平鍋本体と握り部との間に、前記平鍋ハンドルの側壁上に配置される、請求項１に記載の平鍋。
【請求項３】
前記第１の突出部は、前記平鍋ハンドルに沿って１つ以上の設定位置まで移動することができる、請求項２に記載の平鍋。
【請求項４】
前記第１の突出部の位置の反対側の前記平鍋ハンドルの側壁上に、第２の突出部が更に配置されている、請求項１に記載の平鍋。
【請求項５】
前記第２の突出部は、元の位置から１つ以上の延長位置まで延びることができる、請求項４に記載の平鍋。
【請求項６】
前記第２の突出部は、前記平鍋本体と握り部との間に、前記平鍋ハンドルの側壁上に配置される、請求項５に記載の平鍋。
【請求項７】
前記第２の突出部は、前記平鍋ハンドルに沿って１つ以上の設定位置まで移動することができる、請求項６に記載の平鍋。
【請求項８】
前記平鍋ハンドルは、前記平鍋本体と第１の突出部との間に配置されたはねよけを含む、請求項１に記載の平鍋。
【請求項９】
前記握り部の側縁と前記第１の突出部の側縁との間の突出距離は、約０．７ｃｍと約１０ｃｍの間である、請求項１に記載の平鍋。
【請求項１０】
前記握り部の側縁と前記第２の突出部の側縁との間の突出距離は、約０．７ｃｍと約１０ｃｍの間である、請求項４に記載の平鍋。
【発明の詳細な説明】
【技術分野】
【０００１】
本発明は、新たな平鍋ハンドルに関し、より詳細には、使用者が平鍋をよりうまく制御でき、平鍋の取り扱い時に、より少ない労力を用いることができるようにする平鍋ハンドルに関する。
【背景技術】
【０００２】
平鍋は、人が食品を調理するために欠かせない台所用品の１つである。平鍋のタイプに関わらず、典型的には、人は、食品を平鍋の内側に置き、次いでガスレンジのような加熱コンロによって、食品を平鍋内で加熱する。
【０００３】
平鍋は、典型的には、平鍋本体と平鍋ハンドルを有する。平鍋ハンドルは、平鍋本体の側壁上に配置され、使用者が握るための握り部を含む。握り部は、使用者が、平鍋本体の重量を支持できると同時に、平鍋の内側の食品をひっくり返すために平鍋本体を揺することができるように設計される。
【０００４】
平鍋内の食品が調理されたとき、使用者は、典型的には、握り部を軸として用いて平鍋本体を引っくり返して、平鍋の内側にある食品を皿の上に流す。平鍋本体はしばしば鉄またはアルミニウム材料またはかなりの重量を有する他の材料で作られる。平鍋本体の内側にある食品の重量が加えられるので、使用者が平鍋本体を回転させて食品を流すとき、使用者の手首にかかる負担は重く、それによって平鍋は制御するのが難しく、長期間の使用または使用しすぎで、損傷を引き起こす可能性がある。従って、使用者が、平鍋をよりうまく制御でき、平鍋の取り扱い時に、より少ない労力を用いることができるようにする平鍋ハンドルの必要がある。本発明による平鍋ハンドルは、これらの目的を達成する。
【発明の概要】
【０００５】
本発明は、平鍋本体と平鍋ハンドルを含む。平鍋ハンドルは、平鍋本体の側壁上に配置される。本発明による平鍋ハンドルは、使用者のための握り部分と、使用者が平鍋本体を平鍋ハンドルを軸として角度方向に移動または回すことができるように使用者の指を押し付けるための、平鍋ハンドルの側壁上に配置された第１の突出部を有する。使用者が本発明による平鍋を用いると、使用者は平鍋ハンドルの握り部によって平鍋を握ることができ、てことして第１の突出部に親指を押し付けることによって力を働かせることができる。その結果、本発明による平鍋ハンドルにより、使用者は平鍋をよりうまく制御でき、平鍋の取り扱い時により少ない労力を用いることができるようになる。
【図面の簡単な説明】
【０００６】
【図１】本発明による好ましい実施形態の３次元図である。
【図２】本発明による好ましい実施形態の平面図である。
【図３】本発明による好ましい実施形態の図である。
【図４】本発明による好ましい実施形態の第２の図である。
【図５】本発明による好ましい実施形態の第３の図である。
【発明を実施するための形態】
【０００７】
本発明の特徴および機能を、上記目的を達成するための本発明の技術および構造が理解できるよう、添付図面および実施形態を参照して以下に詳細に記載する。
【０００８】
図１および図２は、それぞれ、本発明の好ましい実施形態の３次元図および平面図である。図面から本発明の平鍋１は平鍋本体２を含むことが理解される。この特定の実施形態において、平鍋本体２はソースパンである。しかしながら、本発明による平鍋本体はソースパンに限定されない。例えば、湾曲した底を有する平鍋であってもよい。
【０００９】
平鍋ハンドル３は、前記平鍋本体２の側壁上に配置され、握り部３１と第１の突出部３２を含む。握り部３１は、使用者が握るためのものである。握り部３１は、好ましくは、使用者が握り部３１を握って平鍋本体２の重量を支持できるように、防滑性パターンを有して形成される。使用者が平鍋本体２を平鍋ハンドル３を軸として角度方向に移動または回すことができるように使用者の指を押し付ける、第１の突出部３２は、平鍋本体２と握り部３１との間に、平鍋ハンドル３の側壁上に配置される。好ましい操作方法は、使用者の親指で第１の突出部３２を押すことによって角度方向に動かす。本実施形態では、もし平鍋ハンドル３を二等分するならば、第１の突出部３２は、平鍋本体２に近い部分上に配置される。
【００１０】
好ましい実施形態では、第２の突出部３３が、更に、第１の突出部３２の反対側に、前記平鍋ハンドル３の側壁上に配置される。第２の突出部３３は、使用者が平鍋本体２を平鍋ハンドル３を軸として角度方向に移動または回すことができるように、使用者が人差し指を押し付けるために、平鍋本体２と握り部３１との間に配置される。第２の突出部３３は必須構成要素ではない。本発明の目的は、第２の突出部３３なしで達成することができる。
【００１１】
好ましい実施形態では、図２に示すように、握り部３１の側縁と第１の突出部３２の側縁との間に突出距離ｘがあり、突出距離ｘの長さは、約０．７ｃｍと約１０ｃｍの間であり、より詳細には、突出距離ｘの長さは、約０．８、１、１．２、１．４、１．６、１．８、または２．０ｃｍと約１０ｃｍの間であるのがよい。図２に示すように、距離ｘは、平鍋本体２の平鍋表面を上方に向けて計算される。同様に、第２の突出部３３を同様の対称な方法で配置することができる。しかしながら、第１の突出部３１および第２の突出部３３は、対称な方法で配置される必要はない。例えば、第１の突出部３１の突出距離ｘは、第２の突出部分３３の突出距離ｘと同じである必要はない。
【００１２】
他の好ましい実施形態では、第１の突出部および/または第２の突出部は、より大きな手またはより長い指を有する使用者に便宜をはかるために、元の位置から１つ以上の延長位置まで延びることができる。例えば、突出部は、入れ子式機構によって伸縮可能である。
【００１３】
更なる好ましい実施形態では、第１の突出部および/または第２の突出部は、元の位置からハンドルに沿った１つ以上の設定位置まで平鍋ハンドルに沿って摺動可能または移動可能である。
【００１４】
他の好ましい実施形態では、平鍋ハンドルは、第１の突出部および/または第２の突出部と平鍋本体との間に位置決めされた、はねよけを含む。
【００１５】
図３、図４、および図５を参照して、本発明の操作を以下に記載する。図面から、使用者が本発明による平鍋１を用いると、使用者は平鍋本体２の重量を支持するように、平鍋ハンドル３の握り部３１によって平鍋を握ることが分かる。ある実施形態では、図３に示すように、使用者は握り部３１を握るために左手を用いる。平鍋本体２の内側にある食品が調理され、食品をディナープレート上に流すために平鍋本体２を引っくり返す必要があるとき、使用者は左親指を使って第１の突出部３２を押し下げ、次いで左人差し指を使って、第２の突出部３３を押し上げる。その結果、使用者はハンドル３を軸として平鍋２を容易に角度方向に移動または回すことができる。
【００１６】
使用者が上記動作により平鍋本体２を引っくり返すとき、使用者は第１の突出部３２と第２の突出部３３をてことして用いて、平鍋本体２を容易に引っくり返す。更に、第１の突出部３２と第２の突出部３３は、親指と人差し指によって容易に握れるように、人間工学的曲線中に配置されてもよい。
【００１７】
人々による使い勝手を容易にするために、更に、図４に示すように、本発明は左利きまたは右利きの使用者に限定されない。右利き使用者の場合、それに応じて、使用者は右親指を用いて第２の突出部３３を押し下げ、次いで、右人差し指を用いて第１の突出部３２を押し上げる。その結果、使用者は平鍋本体２を平鍋ハンドル３を軸として容易に角度方向に移動または回すことができる。更に、第１の突出部３２の長さと第２の突出部３３の長さは、特別に設計することができる。一般に、てこ（第１の突出部３２および第２の突出部３３）が長くなればなるほど、平鍋本体２を平鍋ハンドル３を軸としてその周りに回転させるのが容易になる。
【００１８】
本発明を、特定の実施形態に関して記載してきたが、ここの詳細は例示であり、限定として解釈されるべきものではない。
【図１】
2014533170.tif 000003
【図２】
2014533170.tif 000004
【図３】
2014533170.tif 000005
【図４】
2014533170.tif 000006
【図５】
2014533170.tif 000007
【国際調査報告】
2014533170.tif 000008